(57)【要約】【課題】機能設定を容易に行うことができる画像形成装置を提供する。【解決手段】一つ以上の設定項目に対して現在設定されている設定値を適用した結果の仕上がりイメージを表示するとともに、ユーザーの指先もしくはその代替物の接触位置を関知するタッチパネル付き画像表示部３と、設定項目とその設定項目が変化を与える部位を対応づけて記憶する設定項目記憶部４と、タッチパネル付き画像表示部３が検出した接触位置の近傍にある部位を設定項目記憶部４から検索し対応づけられた設定項目に対して設定値変更処理を行う設定項目判定部５とを備える画像形成装置。【選択図】図１
2007148143.tif 000002
【特許請求の範囲】
【請求項１】
一つ以上の設定項目に対して現在設定されている設定値を適用した結果の仕上がりイメージを表示するとともに、ユーザーの指先もしくはその代替物の接触位置を感知するタッチパネル付き画像表示部と、設定項目とその設定項目が変化を与える部位を対応づけて記憶する設定項目記憶部と、タッチパネル付き画像表示部が検出した接触位置の近傍にある部位を設定項目記憶部から検索し対応づけられた設定項目に対して設定値変更処理を行う設定項目判定部と、を備えることを特徴とする画像形成装置。
【請求項２】
請求項１記載の画像形成装置において、前記タッチパネル付き画像表示部は、設定項目が変化を与える部位に対して、仕上がりイメージに忠実な確認用設定項目画像と、その部位へのユーザーの接触操作を容易にする接触用設定項目画像の両方を表示することを特徴とする画像形成装置。
【請求項３】
請求項１記載の画像形成装置において、前記タッチパネル付き画像表示部は、確認用設定項目画像の表示のみ行う機能も有することを特徴とする画像形成装置。
【発明の詳細な説明】
【技術分野】
【０００１】
本発明は、画像形成装置に関し、特にユーザーインターフェースに特徴のある画像形成装置に関する。
【背景技術】
【０００２】
画像形成装置では、原稿の種類や濃度といった原稿の状態に関する設定、拡大率・縮小率や片面・両面、余白サイズなどといった各種画像処理に関する設定、ソートやステープル処理、パンチ穴あけといった仕上げ処理に関する設定など、様々な機能に関する設定を行う必要がある。
従って、ユーザーは、非常に膨大なメニュー項目の中から所望する機能を探し、例えばタッチパネルのボタンを押下するなどの方法で設定を行い、全ての設定が完了した後にスタートボタンを押下して実際の動作（原稿の読み取り以降の処理）を開始することになる。
しかし、近年の画像形成装置は多機能化が進み、使用頻度が高い機能からめったに使用されることのない機能まで、非常に多くの設定項目が並ぶため、設定操作も複雑になっている。その結果、ユーザーの思い通りの仕上がりを得るための設定が困難になっているという深刻な問題がある。
特許文献１では、ステープル、パンチ、スタンプなどの後処理を行う場合について、出力前に結果を確認する技術を提供している。
【特許文献１】特開２００３−００５４７１公報
【発明の開示】
【発明が解決しようとする課題】
【０００３】
しかし、事前に結果を確認したい設定項目は他にもある。また、結果の確認と設定操作の方法が特に関連づけられていないので、結果の特定の部位に関して設定を変更したいと思っても、その設定項目をメニューなどから探すことは困難である。
本発明は、機能設定を容易に行うことができる画像形成装置を提供することを目的とする。
【課題を解決するための手段】
【０００４】
上記目的を達成するために、請求項１記載の発明は、一つ以上の設定項目に対して現在設定されている設定値を適用した結果の仕上がりイメージを表示するとともに、ユーザーの指先もしくはその代替物の接触位置を関知するタッチパネル付き画像表示部と、設定項目とその設定項目が変化を与える部位を対応づけて記憶する設定項目記憶部と、タッチパネル付き画像表示部が検出した接触位置の近傍にある部位を設定項目記憶部から検索し対応づけられた設定項目に対して設定値変更処理を行う設定項目判定部とを備える画像形成装置を最も主要な特徴とする。
請求項２記載の発明は、請求項１記載の画像形成装置において、タッチパネル付き画像表示部は、設定項目が変化を与える部位に対して、仕上がりイメージに忠実な確認用設定項目画像と、その部位へのユーザーの接触操作を容易にする接触用設定項目画像の両方を表示する画像形成装置を主要な特徴とする。
請求項３記載の発明は、請求項１記載の画像形成装置において、タッチパネル付き画像表示部は、確認用設定項目画像の表示のみ行う機能も有する画像形成装置を主要な特徴とする。
【発明の効果】
【０００５】
請求項１の画像形成装置においては、ユーザーの設定したい項目を画像上の部位から選ぶことができるので、直感的でわかりやすい操作が可能となる。
請求項２の画像形成装置においては、忠実な予測画像を確認することと、操作しやすい仮想ボタンを提供するという両立しにくい要求を、２つの項目画像にわけることで両立させ、操作性を向上させることができる。
請求項３の画像形成装置においては、接触用項目画像によって確認画像が隠れて確認しにくいという問題が解決され、見やすい表示が実現できる。
【発明を実施するための最良の形態】
【０００６】
以下、本発明の実施形態を図面に従って説明する。
図１は本発明の実施形態に係る画像形成装置の機能ブロック図である。画像入力部は、スキャナや通信回線などから画像を取得しこれを一時的に保持する。確認画像作成部２は、後述する設定結果記憶部６に記憶されている設定に従って、出力結果を確認するための予測画像である確認画像を作成して、後述するタッチパネル付き画像表示部３に表示する。
このとき、原稿画像から作成した確認画像上に、設定反映結果を示す設定項目画像も合わせて表示する。表示例を図２に示す。図中、ａ、ｂ、ｃは確認用設定項目画像であり、ｄ、ｅ、ｆは接触用設定項目画像である。このように、ひとつの設定項目に対して確認用設定項目画像と接触用設定項目画像の２つを用意する理由を以下に説明する。
設定項目画像には出力結果を確認するという役割と、この画像へのユーザーの接触操作によって対応する設定項目の設定値を変更するという操作子の役割がある。しかし、出力予想画像をできるだけ忠実に再現するために、実際の出力結果と同じ色、形、大きさ（確認画像との比率において）で描画すると、以下のような問題がある。
元の原稿画像との違いがわからず、操作子として認識しにくくなる。また、設定項目画像領域が小さくなって、接触操作を行うことが困難になることがある。また、近接した確認用画像どうしを指で指示仕分けることは困難な場合がある。さらに、設定項目画像は設定値の変更によって変化するが、例えば日付印字をしない設定にした場合には日付印字の設定項目画像は見えないことになり、ユーザーが日付印字をするように設定変更のために接触指示する部位を見つけることが困難になる。
このような不具合を回避するために、確認用設定項目画像と接触用設定項目画像を設け、上述した設定項目画像の２つの役割を分離する。ただし、確認画像上に配置された接触用設定項目画像が多くなると、出力結果確認の邪魔になる場合がある。このため、ユーザーが押すことで、接触用設定項目画像の表示と非表示を切り換えられるボタンを設ける。
【０００７】
図３はこのボタンによって接触用設定項目画像を非表示とした場合の表示例である。タッチパネル付き画像表示部３は、確認画像を表示するとともに、ユーザーの接触操作を検出する。
設定項目記憶部４は、設定項目とその設定反映結果を示す設定項目画像の、確認画像上での表示位置を対応づけて記憶する。記憶内容の例を図４に示す。この例では各設定項目に対して確認用画像と接触用画像を用意し、それぞれの配置位置を記憶する。なお、位置は確認画像の基準とする端と、そこから設定項目画像の端までの距離を、水平方向と垂直方向について記憶する。
設定項目判定部５は、タッチパネル付き画像表示部３が検出したユーザーの接触操作位置の近傍に配置されている設定項目を設定項目記憶部４から検索する。接触用設定項目画像が表示されている場合は接触用設定項目画像の領域内に、接触用設定項目画像が表示されていない場合は確認用設定項目画像の領域内に、接触操作位置が入っている場合に、その画像に対応する設定項目の設定値を変更し、その結果を設定結果記憶部６に記憶する。
ここでの処理の流れを図５に示す。初期状態では図４に示される各設定項目の初期値に従い（Ｓ１）、この例ではすべての設定項目が「なし」に設定され、確認用設定項目画像は見えない。また、接触用設定項目画像は表示される（Ｓ２）。この状態の表示を図６に示す。
次にユーザーの接触操作を検出した場合は（Ｓ３）、その位置が設定項目画像領域内かどうかを各設定項目に関して判定する（Ｓ４乃至Ｓ６）。設定項目画像領域内に接触操作位置が入っている設定項目があった場合はその設定項目の設定値を現在値の次へ進める（Ｓ７、Ｓ８）。現在設定値が最終設定値の場合は最初の設定値に戻す（Ｓ７、Ｓ９）。
例えば、図６の状態で、ステープルの設定項目画像内を接触操作した場合は、ステープルの設定値が「なし」から「斜め」に変化し、確認画像は図７のような表示へと変化する。これをスタートボタンが押されるまで繰り返し（Ｓ１０）、最終的に出力画像を作成する（Ｓ１１）。
設定結果記憶部６は設定項目とその設定値を記憶し、設定項目判定部５で設定項目の設定値が変更された場合は、記憶内容にこれを反映させる。画像出力部７は設定結果記憶部６の内容を反映させて実際の出力用画像を作成し、プリンタからハードコピーとして出力したり、通信回線を通して送信する。
【図面の簡単な説明】
【０００８】
【図１】本発明の実施形態に係る画像形成装置の機能ブロック図である。
【図２】画面表示部の表示例を示す図（その１）である。
【図３】画面表示部の表示例を示す図（その２）である。
【図４】設定項目記憶部の記憶内容を示す図である。
【図５】図１に示す画像形成装置の制御動作を示すフローチャートである。
【図６】画面表示部の表示例を示す図（その３）である。
【図７】画面表示部の表示例を示す図（その４）である。
【符号の説明】
【０００９】
１  画像入力部
２  確認画像作成部
３  タッチパネル付き画像表示部
４  設定項目記憶部
５  設定項目判定部
６  設定結果記憶部
７  画像出力部
【図１】
2007148143.tif 000003
【図２】
2007148143.tif 000004
【図３】
2007148143.tif 000005
【図４】
2007148143.tif 000006
【図５】
2007148143.tif 000007
【図６】
2007148143.tif 000008
【図７】
2007148143.tif 000009